(57)【要約】【課題】  電気光学パネルを複数設ける場合に、コンパクトに電子機器内に収容することができ、小型化・薄型化を図ることのできる新規の電気光学装置を提供する。【解決手段】  第１電気光学パネルと、第２電気光学パネルと、配線部材とを有し、前記配線部材は、前記第１電気光学パネルの第１光源と前記第２電気光学パネルの第２光源とを有することを特徴とする。【選択図】図３
2005122195.tif 000002
【特許請求の範囲】
【請求項１】
第１電気光学パネルと、
第２電気光学パネルと、
配線部材とを有し、
前記配線部材は、前記第１電気光学パネルの第１光源と前記第２電気光学パネルの第２光源とを有することを特徴とする電気光学装置。
【請求項２】
前記配線部材は、前記第１電気光学パネルを制御若しくは駆動するための第１入力端子と前記第２電気光学パネルを制御若しくは駆動するための第２入力端子とを備え、
前記第１光源は第１入力端子に、前記第２光源は第２入力端子に接続されていることを特徴とする請求項１に記載の電気光学装置。
【請求項３】
前記配線部材は、前記第１電気光学パネルを駆動する第１駆動手段と、前記第２電気光学パネルを駆動する第２駆動手段とを有し、
前記配線部材は、前記第１駆動手段へ第１信号を供給する第１端子部と、前記第２駆動手段へ第２信号を供給する第２端子部とを備え、
前記第１光源は、前記第１端子部とは異なる第１実装部に配置され、
前記第２光源は、前記第２端子部とは異なる第２実装部に配置されることを特徴とする請求項１又は請求項２に記載の電気光学装置。
【請求項４】
前記第１光源及び前記第２光源は、ＬＥＤであることを特徴とする請求項１乃至請求項３のいずれか１項に記載の電気光学装置。
【請求項５】
前記第１電気光学パネルと前記第２電気光学パネルとは平面的に重なるように配置され、前記第１電気光学パネルの表示面と、前記第２電気光学パネルの表示面とが表裏反対側に構成されていることを特徴とする請求項１乃至請求項４のいずれか１項に記載の電気光学装置。
【請求項６】
前記第１電気光学パネルと前記第２電気光学パネルとは、共通の支持体により直接若しくは間接的に支持されていることを特徴とする請求項５に記載の電気光学装置。
【請求項７】
請求項１乃至請求項６のいずれか１項に記載の電気光学装置と、
前記電気光学装置に表示制御信号を送る表示制御手段とを有することを特徴とする電子機器。
【発明の詳細な説明】
【技術分野】
【０００１】
一般に、液晶表示パネルと、この液晶表示パネルの背後に配置された導光板と、この導光板の端面に対向してその側方に配置された光源とを有する液晶表示装置が知られている。この液晶表示装置において、光源から放出された光は、上記端面から導光板内に入射し、導光板内にて屈折して導光板の前面から液晶表示パネルへと照射され、液晶表示パネル内を通過して最終的にパネル前面側（観察側）に出射される。
【０００２】
図８は、従来の液晶表示装置の一例としての液晶表示装置１０の構造を模式的に示す概略断面図である。この液晶表示装置１０は、合成樹脂等で構成された支持体１１と、この支持体１１に対して係合固定された導光板１２と、導光板１２の背後に配置された反射シート１３と、導光板１２の前面（図示上面）上に配置された枠状の遮光シート１４と、遮光シート１４の前面側に配置された液晶表示パネル２０とを備えている。
【０００３】
液晶表示パネル２０は、ガラス等で構成された基板２１と２２とをシール材２３によって貼り合わせ、シール材２３の内側に液晶２４を封入したものである。基板２１，２２の外面上には偏光板２５，２６が貼着されている。また、基板２１の端部上には液晶駆動回路を構成する半導体チップ２７が実装されている。
【０００４】
液晶表示パネル２０にはフレキシブル配線基板１５が接続され、このフレキシブル配線基板１５には図示しない配線パターンが構成され、図９に示すように、液晶表示パネル２０の基板２１の端部に導電接続されるパネル側端子部１５ａと、電子機器等の内部に設置されるコネクタ等に導電接続される入力端子部１５ｂとを備えている。また、このフレキシブル配線基板１５上には、上記導光板１２へ光を放出するＬＥＤ（発光ダイオード）等の光源１６が実装され、また、液晶表示パネル１１０を駆動するために用いられる電源回路１７などが構成されている。
【０００５】
ところで、近年、特に携帯型電子機器（例えば携帯電話機）においては、機器の薄型構造部の表面側に第１の液晶表示画面を配置し、薄型構造部の裏面側に第２の液晶表示画面を配置する場合がある。このような場合には、上記の薄型構造部の表面寄りの内部と裏面寄りの内部とにそれぞれ第１の液晶表示装置と第２の液晶表示装置とを別々に取り付ける。例えば、薄型構造部の内部に回路基板を配置し、第１の液晶表示装置を回路基板の表面上に実装し、第２の液晶表示装置を回路基板の裏面上に実装する。
【発明の開示】
【発明が解決しようとする課題】
【０００６】
ところで、近年の携帯型電子機器における小型化や薄型化の要請は年々強くなってきており、上記の液晶表示装置１０を薄く構成する必要があるため、液晶表示パネル２０だけでなく、導光板１２も薄型化されてきている。しかしながら、上記のように表裏にそれぞれ表示画面を有する第１の液晶表示装置と第２の液晶表示装置とを機器の薄型構造部に内蔵しようとすると、その厚さは少なくとも一つの液晶表示装置の２倍になってしまうので、薄型構造部を十分に薄型化することが難しいという問題点がある。
【０００７】
また、薄型構造部内に２つの液晶表示装置を組み込むことによって、２つのフレキシブル配線基板１５をそれぞれ機器側のコネクタ等に接続する必要が生ずるため、電子機器内の配線部材の取り回しが困難になるので小型化が難しく、無理に小型化すると組み立て作業が困難になるという問題点がある。
【０００８】
そこで本発明は上記問題点を解決するものであり、その課題は、上記の液晶表示パネル等の各種電気光学パネルを複数設ける場合に、コンパクトに電子機器内に収容することができ、小型化・薄型化を図ることのできる新規の電気光学装置を提供することにある。
【課題を解決するための手段】
【０００９】
上記課題を解決するために本発明の電気光学装置は、第１電気光学パネルと、第２電気光学パネルと、配線部材とを有し、前記配線部材は、前記第１電気光学パネルの第１光源と前記第２電気光学パネルの第２光源とを有することを特徴とする。
【００１０】
この発明によれば、第１電気光学パネルと第２電気光学パネルとを備えた電気光学装置において、第１電気光学パネルの光源と、第２電気光学パネルの光源とを同一の配線部材に配置することにより、電気光学装置と機器本体との間の配線の取りまわしも容易になるので、組立作業が容易になり、製造コストも低減できる。
【００１１】
本発明において、前記配線部材は、前記第１電気光学パネルを制御若しくは駆動するための第１入力端子と前記第２電気光学パネルを制御若しくは駆動するための第２入力端子とを備え、前記第１光源は第１入力端子に、前記第２光源は第２入力端子に接続されていることを特徴とする。
【００１２】
本発明において、前記配線部材は、前記第１電気光学パネルを駆動する第１駆動手段と、前記第２電気光学パネルを駆動する第２駆動手段とを有し、前記配線部材は、前記第１駆動手段へ第１信号を供給する第１端子部と、前記第２駆動手段へ第２信号を供給する第２端子部とを備え、前記第１光源は、前記第１端子部とは異なる第１実装部に配置され、前記第２光源は、前記第２端子部とは異なる第２実装部に配置されることを特徴とする。
【００１３】
本発明において、前記第１光源及び前記第２光源は、ＬＥＤであることを特徴とする。
【００１４】
本発明において、前記第１電気光学パネルと前記第２電気光学パネルとは平面的に重なるように配置され、前記第１電気光学パネルの表示面と、前記第２電気光学パネルの表示面とが表裏反対側に構成されていることが好ましい。
【００１５】
この発明によれば、第１電気光学パネルと第２電気光学パネルとが平面的に重なるように配置されて表裏両面に表示面を有する装置が構成された場合には、入力端子部やコネクタの相互干渉や電気光学装置と機器本体との間の配線の錯綜が発生しやすくなり、或いは、配線部の配線パターンの配線占有面積が増大しやすくなるので、本発明の効果が特に顕著に表れる。
【００１６】
本発明において、前記第１電気光学パネルと前記第２電気光学パネルとは、共通の支持体により直接若しくは間接的に支持されていることが好ましい。
【００１７】
この発明によれば、共通の支持体に対して第１電気光学パネルと第２電気光学パネルとが共に支持されていることにより、別々にパネルモジュールを構成する場合よりも小型化・薄型化を図ることができる。
【００１８】
本発明において、前記第１電気光学パネルと前記第２電気光学パネルとに共通の配線部材が接続され、この配線部材に前記入力端子或いは前記信号線が形成されていることが望ましい。
【００１９】
この発明によれば、部品点数の低減及び組立作業の容易化を図ることができる。このとき、上記配線部材は配線基板であることが好ましく、特に、フレキシブル配線基板であることが望ましい。
【００２０】
次に、本発明の電子機器は、上記いずれかに記載の電気光学装置と、前記電気光学装置に表示制御信号を送る表示制御手段とを有することを特徴とする。
【００２１】
この発明によれば、電気光学装置の小型化や電気光学装置と機器本体との間の接続構造の簡易化を図ることができるので、電子機器の小型化や薄型化、或いは、組立作業の容易化を図ることができる。
【発明を実施するための最良の形態】
【００２２】
次に、添付図面を参照して本発明に係る電気光学装置及び電子機器の実施形態について詳細に説明する。
【００２３】
（第１の実施の形態）
図１は本発明に係る電気光学装置の第１実施形態である液晶表示装置の概略構成を示す概略縦断面図である。液晶表示装置１００は、第１液晶表示パネル１１０と、第１液晶表示パネル１１０とは反対側を観察側として背中合わせに配置された第２液晶表示パネル１３０とを備えている。
【００２４】
第１及び第２液晶表示パネル１１０，１３０は、それぞれガラス等で構成された２枚の基板１１１，１１２，１３１，１３２をシール材１１３，１３３で貼り合わせ、シール材１１３，１３３の内側に液晶１１４，１３４を封入してなるものである。２枚の基板１１１，１１２，１３１１３２の相互に対向する内面上には電極パターンが形成され、上記液晶１１４，１３４を挟んで対向する電極間に印加された電圧に応じて液晶１１４，１３４が配向状態を変えるように構成されている。基板１１１及び基板１３１の基板張出部（もう一方の基板１１２，１３２の外形よりも周囲に張り出した部分）上には、液晶駆動回路を構成する半導体チップ１１７，１１８（図２参照），１３７が実装されている。なお、これらの液晶表示パネル１１０，１３０の電極パターンからは図示しない配線パターンが引き出され、この配線パターンは、上記半導体チップ１１７，１１８（図２参照），１３７に導電接続されている。
【００２５】
第１及び第２液晶表示パネル１１０，１３０には、上記基板張出部に対してフレキシブル配線基板などで構成される配線部材１０５が導電接続されている。この配線部材１０５を介して上記半導体チップ１１７，１１８，１３７へ外部から信号が入力されるように構成されている。なお、上記のように液晶パネル１１０，１３０に対して直接に液晶駆動回路などが構成された半導体チップが実装されているのではなく、配線部材１０５上に液晶駆動回路が構成されて（半導体チップが実装されて）いてもよい。
【００２６】
本実施形態において、第１液晶表示パネル１１０の背後にはバックライトが配置され、このバックライトは、ＬＥＤ（発光ダイオード）等で構成される光源（第１光源）１２１と、アクリル樹脂などで構成された導光板（第１導光板）１２２とを有する。また、第２液晶表示パネル１３０の背後にもバックライトが配置され、このバックライトは、ＬＥＤ（発光ダイオード）等で構成される光源（第２光源）１４１と、アクリル樹脂等で構成された導光板（第２導光板）１４２とを有する。ここで、導光板１２２と導光板１４２の間には、反射シート（光反射層）１０２が配置され、この反射シート１０２は、光源１２１，１４１から放出され導光板１２２，１４２内において伝播する光を反射して、導光板１２２内の光を液晶表示パネル１１０へ指向させ、導光板１４２内の光を液晶表示パネル１３０へ指向させるように構成されている。
【００２７】
支持体１０１は合成樹脂などの一体成形等によって形成されている。支持体１０１は、導光板１２２と導光板１４２とを係合保持するように構成されている。導光板１２２と第１液晶表示パネル１１０との間には、枠状に形成された遮光シート１０３が介在している。また、導光板１４２と第２液晶表示パネル１３０との間には、枠状に形成された遮光シート１０４が介在している。
【００２８】
図２は、上記配線部材１０５と第１及び第２液晶表示パネル１１０，１３０との接続関係を模式的に示す概略構成図である。配線部材１０５は、上記第１液晶表示パネル１１０に導電接続される第１端子部１０５ａと、上記光源１２１を実装した第１実装部１０５ｂと、上記第２液晶表示パネル１３０に導電接続される第２端子部１０５ｃと、上記光源１４１を実装した第２実装部１０５ｄと、電子機器等の内部コネクタ等に接続される第１入力端子部１０５ｅ及び第２入力端子部１０５ｆとを備えている。
【００２９】
なお、本実施形態では、上記第１液晶表示パネル１１０がＴＦＤ（薄膜ダイオード）素子に接続された画素（セグメント）電極とこれに対向するコモン電極とを備えた、二端子素子を用いたアクティブマトリクス型液晶パネルであり、第２液晶表示パネル１３０がパッシブマトリクス型の液晶パネルである場合について以下説明する。もっとも、本発明はこのような種類の液晶パネルの組合せに限定されるものではない。
【００３０】
図３は、配線部材１０５上に形成された配線パターンの詳細を模式的に示す概略構成図である。配線部材１０５の第１端子部１０５ａには、半導体チップ１１７に接続されるセグメント端子領域Ｓと、一対の半導体チップ１１８，１１８に接続されるコモン端子領域Ｃとが設けられている。セグメント端子領域Ｓには、第１入力端子部１０５ｅまで伸びるように形成された、データバスに接続されるｎ個の表示データ端子Ａ１〜Ａｎが含まれている。また、配線部材１０５上に実装された半導体チップ１０７Ａによって構成される電源回路から出力される電源電位を供給するロジック出力系電位端子、ロジック入力系電位端子、液晶駆動系電位端子、液晶駆動系基準電位端子などの各種電源端子も備えている。
【００３１】
一方、コモン領域Ｃには、内部ロジック用電位端子、基準電位端子、液晶駆動回路用電位端子、液晶駆動用電源（Ｖ０、Ｖ１、Ｖ４、Ｖ５）となる複数の液晶駆動用電位端子が含まれるとともに、表示データのシフトクロックを出力するシフトクロック端子、シフトレジスタのデータを出力するデータ端子、液晶駆動出力の交流化信号を出力する端子などが含まれる。
【００３２】
また、半導体チップ１３７に導電接続される第２端子部１０５ｃには、データバスに接続されるｍ個の表示データ端子Ｂ１〜Ｂｍが含まれている。また、配線部材１０５上に実装された半導体チップ１０７Ｂによって構成される電源回路から出力される電源電位を供給するロジック出力系電位端子、ロジック入力系電位端子、液晶駆動系電位端子、液晶駆動系基準電位端子なども備えている。
【００３３】
上記第１端子部１０５ａに配列された上記の各信号端子は、第１入力端子部１０５ｅから直接延長されているか、或いは、配線部材１０５上に構成された電源回路１０７Ａから引き出された信号ラインに接続されているか、或いは、抵抗・コンデンサなどの電子部品を介して第１入力端子部１０５ｅに接続されている。また、上記第２端子部１０５ｃに配列された各信号端子は、第２入力端子部１０５ｆから直接延長されているか、或いは、第１入力端子部１０５ｅから直接延長されているか、さらにはまた、配線部材１０５上に構成された電源回路１０７Ｂから引き出されている信号ラインに接続されているか、或いは、抵抗・コンデンサなどの電子部品を介して第２入力端子部１０５ｆに接続されている。
【００３４】
第１入力端子部１０５ｅには、データバスに接続されるｎ個の表示データ入力端子Ｃ１〜Ｃｎが含まれている。表示データ入力端子Ｃ１〜Ｃｎには、それぞれ配線部材１０５上において、第１端子部１０５ａに配列されている表示データ端子Ａ１〜Ａｍに接続されたｍ本の表示データラインＡＤにそれぞれ接続されたｍ本の表示データライン（共用信号線）ＣＤに接続されている入力端子Ｃ１〜Ｃｍと、第１端子部１０５ａに配列された表示データ端子Ａｍ＋１〜Ａｎに接続された表示データラインＡＤに直接接続されている入力端子Ｃｍ＋１〜Ｃｎとが含まれている。ここで、上記のｍ本の表示データラインＣＤは、第２端子部１０５ｃに配列されている表示データ端子Ｂ１〜Ｂｍに接続されたｍ本の表示データラインＢＤのそれぞれにも接続されている。
【００３５】
また、第１入力端子部１０５ｅには、表示データ入力端子Ｃ１〜Ｃｎから入力される信号が表示データであるかコマンドデータであるかを示すデータ識別信号を送るデータ識別端子Ｃ０と、内部ロジック用高電位を供給する高電位端子ＶＤＤ（Ｌ）と、基準電位（接地電位）を供給する基準電位端子ＧＮＤとが配列されている。これらは、配線部材１０５上にて分岐された信号ライン（分岐点までは共用信号線となる。）を介して、上記第１端子部１０５ａ内と第２端子部１０５ｃ内のそれぞれ対応する図示しないデータ識別端子と、内部ロジック用の高電位端子と、基準電位端子とに共に接続されている。
【００３６】
また、第１入力端子部１０５ｅには、切換信号（チップセレクト信号）を送る切換信号端子ＣＳと、半導体チップをリセットし初期設定を行わせるためのリセット信号を入力するリセット端子ＲＥＳとが設けられている。これらの切換信号端子ＣＳ及びリセット端子ＲＥＳは、そのまま信号ラインを介して上記第１端子部１０５ａに配列された図示しない切換信号端子及びリセット端子に接続されている。
【００３７】
さらに、第１入力端子部１０５ｅには、それぞれ光源用電位線ＯＰ２，ＯＮ２が配列され、これらの光源用電位線ＯＰ２，ＯＮ２は、配線部材１０５上に実装された光源１２１に導電接続されている。また、第２入力端子部１０５ｆには、それぞれ光源用電位線ＯＰ４，ＯＮ４が配列され、これらの光源用電位線ＯＰ４，ＯＮ４は、配線部材１０５上に実装された光源１４１に導電接続されている。
【００３８】
また、第２入力端子部１０５ｆには、切換信号（チップセレクト信号）を送る切換信号端子ＸＣＳと、半導体チップをリセットし初期設定を行わせるためのリセット信号を入力するリセット端子ＸＲＥＳとが設けられている。これらの切換信号端子ＸＣＳ及びリセット端子ＸＲＥＳは、そのまま信号ラインを介して上記第２端子部１０５ｃに配列された図示しない切換信号端子及びリセット端子に接続されている。ここで、切換信号端子ＸＣＳには、後述する機器本体から、上記第１入力端子部１０５ｅの切換信号端子ＣＳに入力される切換信号の反転信号が印加されるように構成されている。また、リセット端子ＸＲＥＳには、後述する機器本体から、上記第１入力端子部１０５ｆのリセット端子ＲＥＳに入力されるリセット信号の反転信号が印加されるように構成されている。
【００３９】
さらに、第１入力端子部１０５ｅには読出信号端子ＲＤが配置され、この読出信号端子ＲＤに接続された読出信号ラインは途中で分岐されて（分岐点までは共用信号線となる。）第１端子部１０５ａ及び第２端子部１０５ｃにそれぞれ設けられた読出信号端子に共に接続されている。さらに、第１入力端子部１０５ｅには書込信号端子ＷＲが配置され、この書込信号端子ＷＲに接続された書込信号ラインは途中で分岐されて（分岐点までは共用信号線となる。）第１端子部１０５ａ及び第２端子部１０５ｃにそれぞれ配列された書込信号端子に共に接続されている。
【００４０】
図４は、上記配線部材１０５の第１端子部１０５ａに導電接続された半導体チップ１１７，１１８の内部構成を模式的に示す構成ブロック図である。半導体チップ１１７は液晶表示パネル１１０のセグメントドライバチップであり、上記配線部材１０５の第１端子部１０５ａに接続される入出力回路１１７１と、入出力回路１１７１に接続された内部バス１１７２と、内部バス１１７２から受けた表示データを一時的に保存する入出力バッファ１１７３と、入出力バッファ１１７３から受ける表示データを保存する表示データＲＡＭ１１７４と、表示データＲＡＭ１１７４の表示データに基づいて制御信号を生成するＰＷＭデコーダ回路１１７５と、ＰＷＭデコーダ回路１１７５の制御信号に応じて液晶駆動信号（セグメント電位）を形成するセグメント駆動回路１１７６とを有する。
【００４１】
また、入出力バッファ１１７３を制御するカラムアドレス制御回路１１７Ａと、表示データＲＡＭ１１７４を制御するページアドレス制御回路１１７Ｂとが設けられている。ここで、入出力バッファ１１７３、カラムアドレス制御回路１１７Ａ、及び、ページアドレス制御回路１１７Ｂは、第１端子部１０５ａからのコマンドや表示データを入出力する際の制御を行うＭＰＵ系制御回路１１７９によって制御される。また、発振回路１１７７からのクロック信号を受けて動作するドライバ系制御回路１１７８は、ページアドレス制御回路１１７Ｂ及びＰＷＭデコーダ回路１１７５を制御する。
【００４２】
上記回路構成において、セグメント駆動回路１１７６は、第１端子部１０５ａから受けた表示データに基づいて、液晶表示パネル１１０の複数の配線（例えばＴＦＤ素子に接続された配線）にそれぞれセグメント電位を供給する。
【００４３】
一方、半導体チップ１１８内には、表示データのシフトクロックや各種制御態様に応じた信号を入力するコモン制御回路１１８１と、上記シフトクロックに応じてデータを取り込み、動作する双方向シフトレジスタ１１８２と、双方向シフトレジスタ１１８２の出力を制御する出力コントロール回路１１８３と、出力コントロール回路１１８３の出力を受けるレベルシフタ１１８４と、レベルシフタ１１８４の出力を受け、液晶表示パネル１１０の複数のコモン電極にそれぞれコモン電位を供給するコモン駆動回路１１８５とが設けられている。
【００４４】
図５は、上記配線部材１０５の第２端子部１０５ｃに導電接続される半導体チップ１３７の内部構成を模式的に示す構成ブロック図である。半導体チップ１３７内には、タイミング信号発生回路１３７１を備えている。また、このタイミング信号発生回路１３７１の発生するタイミング信号によって動作する、第２端子部１０５ｃに接続された表示メモリ１３７２、表示メモリ１３７２から受ける表示データに応じて階調信号を生成する階調信号生成回路１３７３、及び、階調信号生成回路１３７３の階調信号によって液晶表示パネル１３０のデータ線を駆動するデータ線ドライバ１３７４を有している。また、タイミング信号に従って動作する選択信号生成回路１３７５と、この選択信号生成回路１３７５の選択信号によって動作し、液晶表示パネル１３０の走査線を駆動する走査線ドライバ１３７６とを有する。
【００４５】
図６は、上記配線部材１０５の第１入力端子部１０５ｅ及び第２入力端子部１０５ｆに導電接続される電子機器本体の表示系回路（表示制御手段）の概略構成を模式的に示す概略構成ブロック図である。表示系回路は、ＭＰＵ（マイクロプロセッサユニット）３０１と、このＭＰＵ３０１に接続された入出力回路３０２及び入出力回路３０３とを有する。入出力回路３０２は上記第１入力端子部１０５ｅに接続され、また、入出力回路３０３は上記第２入力端子部１０５ｆに接続される。
【００４６】
上記構成の本実施形態によれば、ＭＰＵ３０１から入出力回路３０２を介して配線部材１０５の第１入力端子部１０５ｅに各種の表示制御信号が出力されるとともに、入出力回路３０３を介して配線部材１０５の第２入力端子部１０５ｆに各種表示制御信号が出力される。
【００４７】
ここで、ＭＰＵ３０１の動作によって切換信号端子ＣＳが”Ｈ”になり切換信号端子ＸＣＳが”Ｌ”になるとともに、リセット端子ＲＥＳが”Ｈ”になりリセット端子ＸＲＥＳが”Ｌ”になると、第１端子部１０５ａに接続された半導体チップ１１７，１１８が稼動して液晶表示パネル１１０を点灯させ、第２端子部１０５ｃに接続された半導体チップ１３７が停止して液晶表示パネル１３０が消灯する。このとき、第１入力端子部１０５ｅの表示データ入力端子Ｃ１〜Ｃｎに接続されたｎ本の表示データラインＣＤ及びＡＤで構成されるデータバスを介して半導体チップ１１７に表示データが出力され、この表示データに応じた画像が第１液晶表示パネル１１０にて表示される。
【００４８】
一方、上記の切換信号線ＣＳが”Ｌ”になり切換信号線ＸＣＳが”Ｈ”になるとともに、リセット端子ＲＥＳが”Ｌ”になりリセット端子ＸＲＥＳが”Ｈ”になると、半導体チップ１１７，１１８が停止するとともに、半導体チップ１３７が稼動する。このとき、表示データ入力端子Ｃ１〜Ｃｍに接続されたｍ本の表示データラインＣＤ及びＢＤで構成されるデータバスを介して半導体チップ１３７に表示データが出力され、この表示データに応じた画像が第２液晶表示パネル１３０にて表示される。
【００４９】
本実施形態においては、上記のように、配線部材１０５に構成された各種信号線のうちの一部が、第１液晶表示パネル１１０及び半導体チップ１１７，１１８に接続される信号ライン（第１信号線）と、第２液晶表示パネル１３０及び半導体チップ１３７に接続される信号ライン（第２信号線）とを兼用した共用信号線（すなわち、第１入力端子部１０５ｅの表示データ入力端子Ｃ１〜Ｃｍに接続される表示データラインＣＤと、第１入力端子部１０５ｅに配列された高電位端子ＶＤＤ（Ｌ）、データ識別端子Ｃ０、基準電位端子ＧＮＤ、読出信号端子ＲＤ、書込信号端子ＷＲにそれぞれ接続される信号ライン）となっているので、配線部材１０５の配線面積を低減することができるから、配線部材１０５を小型化することが可能になる。また、第１入力端子部１０５ｅ及び第２入力端子部１０５ｆに配列される端子数も低減することができるから、電子機器の本体へ接続するためのコネクタ構造も小型化され、接続配線の取り回しも容易になり、電子機器内における占有スペースも低減される。さらに、上記配線部材の小型化やコネクタ構造の小型化によって製造コストも低減される。
【００５０】
図７は、上記液晶表示装置１００を内蔵した電子機器の一例としての携帯電話１０００の外観を示す概略斜視図（ａ）及び（ｂ）である。この携帯電話機１０００は、各種操作ボタンが設けられマイクを内蔵した本体部１００１と、表示画面やアンテナを備えスピーカを内蔵した表示部１００２とを有し、本体部１００１と表示部１００２とが相互に折りたたみ自在に構成されている。表示部１００２内には上記の液晶表示装置１００が内蔵され、その内面上には上記第１液晶表示パネル１１０の表示画面が視認可能に構成され、また、外面上には、上記第２液晶表示パネル１３０の表示画面が視認可能に構成されている。
【００５１】
本実施形態では、図７（ａ）に示すように本体部１００１から表示部１００２を開くことによって、上記切換信号端子ＣＳに印加される切換信号によって第１液晶表示パネル１１０が点灯し、所定の画像が表示され、切換信号端子ＸＣＳに印加される切換信号によって第２液晶表示パネル１３０は消灯する。また、図７（ｂ）に示すように表示部１００２を本体部１００１上に折りたたむことにより、上記切換信号端子ＣＳの電位が反転して液晶表示パネル１１０が消灯し、その代わりに、切換信号端子ＸＣＳに印加される切換信号の反転によって液晶表示パネル１３０が点灯して所定の画像が表示されるように構成することができる。
【００５２】
本実施形態では、上記のように液晶表示装置１００が薄型化されているので、表示部１００２を薄型化することができるとともに、その内部構造も簡易なものとすることができ、組立作業も容易に行うことが可能になる。
【００５３】
尚、本発明の電気光学装置及び電子機器は、上述の図示例にのみ限定されるものではなく、本発明の要旨を逸脱しない範囲内において種々変更を加え得ることは勿論である。例えば、電気光学装置としては、上記のように液晶表示パネルを備えた液晶表示装置に限らず、エレクトロルミネッセンスパネルやプラズマディスプレイパネルなどを備えたものであってもよい。
【産業上の利用可能性】
【００５４】
以上、説明したように本発明によれば、電気光学装置の小型化、組立作業の容易化、製造コストの低減を図ることができる。また、電気光学装置を電子機器に内蔵する場合には取付作業の容易化や占有スペースの低減を図ることができる。
【図面の簡単な説明】
【００５５】
【図１】本発明に係る電気光学装置の実施形態である液晶表示装置１００の概略構造を示す概略断面図である。
【図２】液晶表示装置１００の液晶表示パネルと配線部材との対応構造を模式的に示す概略説明図である。
【図３】液晶表示装置１００の配線部材上の配線パターンの概略を模式的に示す概略説明図である。
【図４】第１液晶表示パネル１１０に実装された半導体チップ１１７，１１８の内部構成を示す概略構成図である。
【図５】第２液晶表示パネル１３０に実装された半導体チップ１３７の内部構成を示す概略構成図である。
【図６】電子機器の機器本体内における表示制御系の構成を模式的に示す概略構成図である。
【図７】電子機器の実施形態としての携帯電話１００の外観を示す概略斜視図（ａ）及び（ｂ）である。
【図８】従来の液晶表示装置の概略構造を模式的に示す概略断面図である。
【図９】従来の液晶表示装置に用いられる配線部材（フレキシブル配線基板）の平面形状の例を示す概略平面図である。
【符号の説明】
【００５６】
１００・・・液晶表示装置
１０１・・・支持体
１０５・・・配線部材
１０５ａ・・・第１端子部
１０５ｃ・・・第２端子部
１０５ｅ・・・第１入力端子部
１０５ｆ・・・第２入力端子部
１１０・・・第１液晶表示パネル
１３０・・・第２液晶表示パネル
１０００・・・携帯電話
Ａ１〜Ａｎ，Ｂ１〜Ｂｍ・・・表示データ端子
Ｃ１〜Ｃｎ・・・表示データ入力端子
ＡＤ，ＢＤ，ＣＤ・・・表示データライン
ＶＤＤ（Ｌ）・・・高電位端子
ＧＮＤ・・・基準電位端子
Ｃ０・・・データ識別端子
ＲＤ・・・読出信号端子
ＷＲ・・・書込信号端子
ＣＳ，ＸＣＳ・・・切換信号端子
ＲＥＳ，ＸＲＥＳ・・・リセット端子
【図１】
2005122195.tif 000003
【図２】
2005122195.tif 000004
【図３】
2005122195.tif 000005
【図４】
2005122195.tif 000006
【図５】
2005122195.tif 000007
【図６】
2005122195.tif 000008
【図７】
2005122195.tif 000009
【図８】
2005122195.tif 000010
【図９】
2005122195.tif 000011